(57)【要約】【課題】コンテンツデータと共にＣＭデータを視聴者に見せる形式がとられる場合であっても、配布期限等の制限による様々な不利益を受けることの無いコンテンツデータ再生システム、コンテンツデータ再生用プログラム、及び再生用機器を提供する。【解決手段】暗号化鍵データＫｃｉにより暗号化されたコンテンツデータＣが格納された記録媒体１００を読み取り可能に構成された再生用機器１０において、ＣＭデータの再生を条件としてコンテンツデータＣの再生を可能とするコンテンツデータ再生システムが提供される。サーバ２０は、ＣＭデータＣＭｉを適宜ユーザ端末に送信する。ＣＭデータＣＭｉの再生用機器１０での再生の完了が、コンテンツデータ再生用プログラムによって検知されると、暗号化鍵データＫｃｉによるコンテンツデータＣの復号化及び再生が開始される。【選択図】図１
2007116552.tif 000002
【特許請求の範囲】
【請求項１】
所定の暗号化鍵データにより暗号化されたコンテンツデータが格納された記録媒体を読み取り可能に構成されたユーザ端末におけるＣＭデータの再生を条件として前記コンテンツデータの再生を可能とするコンテンツデータ再生システムであって、
ＣＭデータを前記ユーザ端末からの要求に応じて適宜前記ユーザ端末に送信するＣＭデータ送信部と、
前記ＣＭデータの前記ユーザ端末での再生の完了を検知する検知部と、
前記検知部で前記ＣＭデータの再生の完了が検知された場合に前記暗号化鍵データによる前記コンテンツデータの復号化及び再生を前記ユーザ端末に許可する許可部と
を備えたことを特徴とするコンテンツデータ再生システム。
【請求項２】
前記コンテンツデータは、複数のチャプタに分割されそれぞれ異なる暗号化鍵データにより暗号化された形式で前記記録媒体に格納され、
前記ＣＭデータは、前記複数のチャプタの再生の合間の時間において再生され、
前記許可部は、前記ＣＭデータの再生の完了が前記検知部により検知された場合に、続く前記チャプタの復号化及び再生を許可する
ことを特徴とする請求項１記載のコンテンツデータ再生システム。
【請求項３】
前記ＣＭデータ送信部は、前記ユーザ端末において再生しようとする前記コンテンツデータの属性に基づいて提供するＣＭデータを選択して送信する請求項１記載のコンテンツデータ再生システム。
【請求項４】
前記ＣＭデータ送信部は、前記ユーザ端末において再生しようとする前記コンテンツデータの属性及び時刻に基づいて前記ＣＭデータを選択して送信する請求項１記載のコンテンツデータ再生システム。
【請求項５】
所定の暗号化鍵データにより暗号化されたコンテンツデータが格納された記録媒体を読み取り可能に構成された再生用機器において、
ＣＭデータを外部から受信する受信部と、
受信された前記ＣＭデータを再生する再生部と、
前記ＣＭデータの前記再生部での再生の完了を検知する検知部と、
前記検知部で前記ＣＭデータの再生の完了が検知された場合に前記暗号化鍵データによる前記コンテンツデータの復号化を開始する復号化部と
を備えたことを特徴とする再生用機器。
【請求項６】
前記コンテンツデータは、複数のチャプタに分割されそれぞれ異なる暗号化鍵データにより暗号化された形式で前記記録媒体に格納され、
前記再生部は、前記複数のチャプタの再生の合間の時間において前記ＣＭデータを再生するように構成され、
前記復号化部は、前記再生部における前記ＣＭデータの再生の完了が前記検知部により検知された場合に、続く前記チャプタの復号化を開始する
ことを特徴とする請求項５記載の再生機器。
【請求項７】
所定の暗号化鍵データにより暗号化されたコンテンツデータが格納された記録媒体を読み取り可能に構成されたユーザ端末におけるＣＭデータの再生を条件として前記コンテンツデータの再生を可能とするための、前記ユーザ端末に格納され得るコンテンツデータ再生プログラムであって、
ＣＭデータを外部から前記ユーザ端末に受信させるステップと、
前記ＣＭデータの前記ユーザ端末における再生の完了を検知するステップと、
前記ＣＭデータの再生の完了が検知された場合に前記暗号化鍵データによる前記コンテンツデータの復号化及び再生を前記ユーザ端末に許可するステップと
を前記ユーザ端末において実行可能に構成されたことを特徴とするコンテンツデータ再生用プログラム。
【請求項８】
所定の暗号化鍵データにより暗号化されたコンテンツデータが格納された記録媒体を読み取り可能に構成された再生用機器において、
前記暗号化鍵データによる前記コンテンツデータの復号化を行う復号化部と
ＣＭデータを外部から受信する受信部と、
受信された前記ＣＭデータおよび復号された前記コンテンツデータを選択的に再生可能な再生部と、
前記ＣＭデータの再生時間を計測する計測部と
を備え、
前記再生部は、計測された再生時間に対応する時間間隔だけ前記コンテンツデータの復号化及び再生を実行するように構成された
ことを特徴とする再生用機器。
【請求項９】
所定の暗号化鍵データにより暗号化されたコンテンツデータが格納された記録媒体を読み取り可能に構成されたユーザ端末におけるＣＭデータの再生を条件として前記コンテンツデータの再生を可能とするコンテンツデータ再生システムであって、
ＣＭデータを前記ユーザ端末からの要求に応じて適宜前記ユーザ端末に送信するＣＭデータ送信部と、
前記ＣＭデータの前記ユーザ端末での再生時間を計測する計測部と、
前記計測部で計測された再生時間に対応する時間間隔だけ前記暗号化鍵データによる前記コンテンツデータの復号化及び再生を前記ユーザ端末に許可する許可部と
を備えたことを特徴とするコンテンツデータ再生システム。
【請求項１０】
所定の暗号化鍵データにより暗号化されたコンテンツデータが格納された記録媒体を読み取り可能に構成されたユーザ端末におけるＣＭデータの再生を条件として前記コンテンツデータの再生を可能とするための、前記ユーザ端末に格納され得るコンテンツデータ再生プログラムであって、
ＣＭデータを外部から前記ユーザ端末に受信させるステップと、
前記ＣＭデータの前記ユーザ端末での再生時間を計測するステップと、
計測された再生時間に対応する時間間隔だけ前記暗号化鍵データによる前記コンテンツデータの復号化及び再生を前記ユーザ端末に許可するステップと
を前記ユーザ端末において実行可能に構成されたことを特徴とするコンテンツデータ再生用プログラム。
【発明の詳細な説明】
【技術分野】
【０００１】
本発明は、所定の暗号化鍵データにより暗号化されたコンテンツデータが格納された記録媒体を読み取り可能に構成されたユーザ端末において、ＣＭデータの再生を条件として前記コンテンツデータの再生を可能とするコンテンツデータ再生システム、コンテンツデータ再生用プログラム、及び再生用機器に関する。
【背景技術】
【０００２】
コンテンツデータにＣＭ（コマーシャル・メッセージ）データを付加することにより、視聴者がコンテンツデータを無料又は安価に視聴することができるようにすることは、例えば民間テレビ放送局の番組等においても広く行われている。またＤＶＤディスク等の可搬型記録媒体においても、本来の視聴対象である映画等のコンテンツデータと、これとは別のＣＭのデータとを１つの記録媒体に格納することにより、記録媒体の頒布価格を抑える試みがなされている。また、オンラインのコンテンツ配信システムにおいても、再生用機器内の記録媒体にコンテンツデータをダウンロードして格納させる際、ＣＭデータを同時にダウンロードさせることが行われている。
【０００３】
しかし、こうした記録媒体にＣＭデータを記録することは、次のような問題を生じさせる。すなわち、ＣＭの多くには、そのＣＭに出演するタレントや俳優等と企業との間の契約により、その配布期限が厳しく設定される。しかし、記録媒体にこのような配布期限付きのＣＭが格納されて配布されると、配布期限経過後にユーザがそのＣＭを視聴する可能性が高く、このため、配布期限に関しタレント等と企業との間で紛争を生じさせかねない。また、配布元である企業は、配布期限を設定されたＣＭデータを格納したＤＶＤディスク等を在庫として有している場合に、その期限が切れてしまえば、そのＤＶＤを破棄しなければならなくなる。
【特許文献１】特開２００３−３１９３７１
【発明の開示】
【発明が解決しようとする課題】
【０００４】
この発明は、コンテンツデータと共にＣＭデータを視聴者に見せる形式がとられる場合であっても、配布期限等の制限による様々な不利益を受けることの無いコンテンツデータ再生システム、コンテンツデータ再生用プログラム、及び再生用機器を提供することを目的とする。
【課題を解決するための手段】
【０００５】
この発明の一態様に係るコンテンツデータ配信システムは、所定の暗号化鍵データにより暗号化されたコンテンツデータが格納された記録媒体を読み取り可能に構成されたユーザ端末におけるＣＭデータの再生を条件として前記コンテンツデータの再生を可能とするコンテンツデータ再生システムであって、ＣＭデータを前記ユーザ端末からの要求に応じて適宜前記ユーザ端末に送信するＣＭデータ送信部と、前記ＣＭデータの前記ユーザ端末での再生の完了を検知する検知部と、前記検知部で前記ＣＭデータの再生の完了が検知された場合に前記暗号化鍵データによる前記コンテンツデータの復号化及び再生を前記ユーザ端末に許可する許可部とを備えたことを特徴とする。
【０００６】
この発明の一態様に係るコンテンツデータ配信用プログラムは、所定の暗号化鍵データにより暗号化されたコンテンツデータが格納された記録媒体を読み取り可能に構成されたユーザ端末におけるＣＭデータの再生を条件として前記コンテンツデータの再生を可能とするための、前記ユーザ端末に格納され得るコンテンツデータ再生プログラムであって、ＣＭデータを外部から前記ユーザ端末に受信させるステップと、前記ＣＭデータの前記ユーザ端末における再生の完了を検知するステップと、前記ＣＭデータの再生の完了が検知された場合に前記暗号化鍵データによる前記コンテンツデータの復号化及び再生を前記ユーザ端末に許可するステップとを前記ユーザ端末において実行可能に構成されたことを特徴とする。
【０００７】
この発明の一態様に係る再生用機器は、所定の暗号化鍵データにより暗号化されたコンテンツデータが格納された記録媒体を読み取り可能に構成された再生用機器において、ＣＭデータ外部から受信する受信部と、受信された前記ＣＭデータを再生する再生部と、前記ＣＭデータの前記再生部での再生の完了を検知する検知部と、前記検知部で前記ＣＭデータの再生の完了が検知された場合に前記暗号化鍵データによる前記コンテンツデータの復号化を開始する復号化部とを備えたことを特徴とする。
【０００８】
本発明の別の態様に係る再生用機器は、所定の暗号化鍵データにより暗号化されたコンテンツデータが格納された記録媒体を読み取り可能に構成された再生用機器において、前記暗号化鍵データによる前記コンテンツデータの復号化を行う復号化部とＣＭデータを外部から受信する受信部と、受信された前記ＣＭデータおよび復号された前記コンテンツデータを選択的に再生可能な再生部と、前記ＣＭデータの再生時間を計測する計測部とを備え、前記再生部は、計測された再生時間に対応する時間間隔だけ前記コンテンツデータの復号化及び再生を実行するように構成されたことを特徴とする。
【０００９】
本発明の別の態様に係るコンテンツデータ再生システムは、所定の暗号化鍵データにより暗号化されたコンテンツデータが格納された記録媒体を読み取り可能に構成されたユーザ端末におけるＣＭデータの再生を条件として前記コンテンツデータの再生を可能とするコンテンツデータ再生システムであって、ＣＭデータを前記ユーザ端末からの要求に応じて適宜前記ユーザ端末に送信するＣＭデータ送信部と、前記ＣＭデータの前記ユーザ端末での再生時間を計測する計測部と、前記計測部で計測された再生時間に対応する時間間隔だけ前記暗号化鍵データによる前記コンテンツデータの復号化及び再生を前記ユーザ端末に許可する許可部とを備えたことを特徴とする。
【００１０】
本発明の別の態様に係るコンテンツデータ再生用プログラムは、所定の暗号化鍵データにより暗号化されたコンテンツデータが格納された記録媒体を読み取り可能に構成されたユーザ端末におけるＣＭデータの再生を条件として前記コンテンツデータの再生を可能とするための、前記ユーザ端末に格納され得るコンテンツデータ再生プログラムであって、ＣＭデータを外部から前記ユーザ端末に受信させるステップと、前記ＣＭデータの前記ユーザ端末での再生時間を計測するステップと、計測された再生時間に対応する時間間隔だけ前記暗号化鍵データによる前記コンテンツデータの復号化及び再生を前記ユーザ端末に許可するステップとを前記ユーザ端末において実行可能に構成されたことを特徴とする。
【発明の効果】
【００１１】
この発明によれば、コンテンツデータと共にＣＭデータを視聴者に見せる形式がとられる場合であっても、配布期限等の制限による様々な不利益を受けることの無いコンテンツデータ再生システム、コンテンツデータ再生用プログラム、及び再生用機器を提供することができる。
【発明を実施するための最良の形態】
【００１２】
以下、本発明の実施形態について図面を参照しながら説明する。
【００１３】
［第１の実施の形態］  図１は、本発明の第１の実施の形態に係るコンテンツデータ再生システムの全体構成を示している。このシステムにおいてユーザは、パソコン等の再生用機器（ユーザ端末）１０を有し、ＤＶＤディスク等の記録媒体１００に格納されたコンテンツデータＣを再生する。記録媒体１００はＤＶＤディスクに限られるものではなく、ＣＤ、ＭＤ、ＳＤメモリカードなど、コンテンツデータが格納可能な様々な形式の記録媒体が用い得る。また、記録媒体１００は、再生用機器１０内に内蔵された記録媒体、例えばハードディスクドライブ等であってもよい。
【００１４】
この実施の形態では、コンテンツデータＣは、例えば１つの映画をシーン（チャプタ）毎に分割した複数のチャプタデータＣｈ１、Ｃｈ２、Ｃｈ３・・・に分割して格納されているものとする。また、各チャプタデータＣｈｉは、それぞれ異なるコンテンツ鍵データＫｃｉにより暗号化された暗号化データＥｎｃ（Ｋｃｉ：Ｃｈｉ）の形式で格納されているものとする。
【００１５】
この再生用機器１０は、サーバ２０とインターネット等のネットワーク５０を介して接続されている。サーバ２０は、更にＣＭデータ格納部３０及びコンテンツ鍵データ格納部４０と連携されている。ＣＭデータ格納部３０は、コンテンツデータＣと並行して再生用機器１０で再生しユーザに視聴させるためのＣＭデータＣＭ１、ＣＭ２、ＣＭ３・・・を格納するものである。格納されるＣＭデータＣＭｉは、配布期限内の最新のＣＭのデータである。また、コンテンツ鍵データ格納部４０は、記録媒体１００においてコンテンツデータＣを暗号化している各種のコンテンツ鍵データＫｃｉを格納するものである。
【００１６】
本システムは、この記録媒体１００に格納されているコンテンツデータＣを再生用機器１０で視聴する際、サーバ２０から再生用機器１０へコンテンツ鍵データＫｃｉ及びＣＭデータＣＭｉをダウンロードさせる。そして、このＣＭデータＣＭｉが再生されることを条件に、コンテンツ鍵データＫｃｉによる暗号化コンテンツ鍵データＥｎｃ（Ｋｃｉ：Ｃｈｉ）の復号化を許可し、コンテンツデータの再生を可能とする。これら一連の動作は、記録媒体１００に記録されているコンテンツデータ再生用プログラム（ＤＥＣ＆ＰＬＡＹ）からの命令に従い、再生用機器１０内の各種構成要素により実行される。このデータ再生用プログラムは、各種データのサーバ２０から再生用機器１０へのダウンロードを実行する機能、ダウンロードされたＣＭデータの再生用機器１０での再生完了を検知する機能、及びＣＭデータの再生完了の検知を受けてコンテンツデータの再生を許可する機能等を有するものである。このプログラムは、上記のように記録媒体１００に、例えばコンテンツデータのダウンロードと同時に記録されるものであってもよいし、再生用機器１０に出荷時から予めプリインストールされていてもよい。また、サーバ２０の側から適宜オンラインでダウンロードされて提供されるものとしてもよい。
【００１７】
次に、再生用機器１０の内部構成を説明する。再生用機器１０は、一例として、記録媒体１００のデータを光学的に読み取る光ピックアップ１０１、光ピックアップ１０１の出力信号を処理する信号処理部１０２、記録媒体１００を回転させるモータ１０３、モータ１０３を駆動するドライバ１０４、モニタその他への出力を制御する出力制御部１０５、ブートプログラムその他を格納するＲＯＭ１０６、ＣＭデータ等を一時格納するためのＲＡＭ１０７、ＣＰＵ１０８、ハードディスクドライブ（ＨＤＤ）１０９、暗号化コンテンツデータを復号化する復号化部１１０、及び外部との通信制御を司る通信制御部１１２を備えている。
【００１８】
続いて、このコンテンツデータ再生システムの動作を、図２のフローチャート及び図３のデータ流れ図を参照して説明する。最初にユーザが記録媒体１００を再生用機器１０の図示しないスロットに挿入して読み込みが開始されると、コンテンツデータ再生用プログラムが記録媒体１００から読み出されて起動する。このプログラムに従って、記録媒体１００内に格納されたコンテンツデータＣが選択され（Ｓ１）、その再生が指示されると（Ｓ２）、そのコンテンツデータＣのコンテンツＩＤが再生用機器１０からサーバ２０に送信される。サーバ２０は、このコンテンツＩＤに基づき、コンテンツデータＣを特定する。そして、そのコンテンツデータＣの最初のチャプタデータＣｈ１の再生を開始するため、対応するコンテンツ鍵データＫｃ１がサーバ２０から再生用機器１０にダウンロードされ、これが図３に示すように復号化部１１０で暗号化コンテンツデータＥｎｃ（Ｋｃ１：Ｃｈ１）の復号に用いられる。復号されたチャプタデータＣｈ１は、出力制御部１０５から図示しないモニタ及びスピーカ等に出力され、チャプタデータＣｈ１の再生が行われる（Ｓ３）。
【００１９】
これと並行して、再生用機器１０は、ＣＭデータのサーバ２０からのダウンロードを開始する（Ｓ４）。このときダウンロードされるのは、チャプタデータＣｈ１の再生終了後に再生されるべきＣＭデータＣＭ１である。再生されるべきＣＭデータは、選択されたコンテンツデータの属性や、再生要求がされた時間帯等に基づいて、適切なものが選択される。続いて、次のチャプタデータＣｈ２を復号化するためのコンテンツ鍵データＫｃ２のダウンロードが開始される（Ｓ５）。ダウンロードされたＣＭデータＣＭ１及びコンテンツ鍵データＫｃ２は、ＲＡＭ１０７に一時格納される。このように、ＣＭデータのダウンロードは、チャプタデータの再生と並行して行われるので、通信環境がブロードバンド環境でなくとも、チャプタデータの再生完了までには、十分にＣＭデータのダウンロードを終えることができる。
【００２０】
チャプタＣｈ１の再生が終了すると、ＲＡＭ１０７に一時格納されているＣＭデータＣＭ１の再生が開始される（Ｓ６）。ＣＰＵ１０８は、コンテンツデータ再生プログラムに従い、ＣＭデータが最後まで再生されたか否かを検知する（Ｓ７）。検知は例えば、ＣＭデータＣＭ１の放映時間（例えば１５秒）の間、ＣＭデータの通常の再生（再生停止、早送り等）を中断させるための動作等の不正な動作がなされていないか否かをモニタすることにより行うことができる。ＣＭデータＣＭ１の再生が正常に終了せず、途中で中断される等の不正な動作が検知されると、続くコンテンツデータＣの再生は終了する（Ｓ８）。終了する代わりに、再生用機器１０のモニタに、ＣＭデータを最後まで再生しないと続くコンテンツデータＣの再生が出来ない旨表示し、ＣＭデータを再度視聴することを促すことも可能である。
【００２１】
ＣＭデータＣＭ１の再生が正常に終了したことが検知された場合、そのＣＭデータＣＭ１が最終チャプタであるか否かの判断がされ（Ｓ９）、ＹＥＳであれば再生動作を終了し（Ｓ１０）、ＮＯであればＳ３に戻って次のチャプタデータＣｈ２の再生がなされる。こうして最終チャプタの再生が終了するまでＳ３〜Ｓ９の手順が繰り返され、図３に示すようにチャプタデータＣｈｉとＣＭデータＣＭｉが交互に再生される。なお、ＣＭデータＣＭｉの再生終了毎に、再生用機器１０はサーバ２０に対して、そのＣＭデータＣＭｉのＣＭ番号（ＩＤ）を送信する。サーバ２０は、このＣＭ番号のデータを集計して、どのようなコンテンツデータが、どの時間帯で再生された場合にどのようなＣＭデータが視聴されたかのデータを得ることができる。このデータは、コンテンツ作成業者へのコンテンツ使用料の分配や、スポンサー企業へのＣＭ料金の請求等に用いることができる。
【００２２】
なお、図２及び図３の例では、チャプタデータＣｈｉを先に再生し、続いてＣＭデータＣＭｉを再生する手順としたが、これとは逆に図４に示すように、先にＣＭデータＣＭｉを再生し、続いてチャプタデータＣｈｉを再生する手順としてもよい。
【００２３】
このように本実施の形態によれば、記録媒体に記録されたコンテンツデータをＣＭデータと共に視聴させる形式において、常にサーバ側から最新のＣＭデータを受信し視聴させることが可能である。このように、記録媒体に記録したコンテンツデータにおいて最新のＣＭが視聴可能であれば、データ量が大きいコンテンツ配布のために様々なルート（ディスクの配布、事前ダウンロード、Ｐ２Ｐファイル交換等）が使えるため、サーバ側の負荷を軽減することができ、結果として少ないスポンサーの負担でコンテンツの提供が可能になる。
【００２４】
［第２の実施の形態］  図５は、本発明の第２の実施の形態に係るコンテンツデータ再生システムの全体構成を示している。この実施の形態は、ＣＭデータをインターネット経由ではなく、衛星放送等の放送網を経由して受信する点で、第１の実施の形態と異なっている。すなわち、ＣＭデータは、放送局、又は放送局と契約したサーバが提供するＣＭチャネル１，２，・・・ｎから放送衛星７０を介して放映され、各再生用機器１０は、例えば放送を受信するアンテナ８０と接続され、このＣＭデータを受信する。受信されたＣＭデータは、再生用機器１０内又はこれに外部接続されたＴＶチューナ１１３により取得され、第１の実施の形態と同様にＲＡＭ１０７に一時格納される。なお、この実施の形態では、暗号化コンテンツデータＥｎｃ（Ｋｃｉ：Ｃｈ１）を復号化するためのコンテンツ鍵データＫｃｉは、記録媒体１００に、コンテンツデータＣの取得と同時に格納されているものとして説明する。ただし、ＣＭチャネルから放送網を介してこれらのコンテンツ鍵データをＣＭデータと共に受信するようにすることも可能である。
【００２５】
図６は、本実施の形態によるコンテンツデータＣの再生の手順を示すフローチャートである。ＣＭデータがインターネット経由でダウンロードされる代わりに、放送網経由で受信される点（Ｓ３２、Ｓ３９）を除けば、ほぼ手順は第１の実施の形態と同様であるので、詳細な説明は省略する。受信されたＣＭデータがＲＡＭ１０７に一時格納される点も同一である。ただし、ＣＭデータの再生が正常に終了した場合に、その再生済みのＣＭデータのＣＭ番号をＣＭ再生ログとしてＨＤＤ１０９等に記録する点で、第１の実施の形態と異なっている（Ｓ３８）。この再生済みのＣＭデータのＣＭ番号のデータは、その後受信され再生用機器１０で再生されるＣＭの選別に利用され、これにより重複して同一のＣＭが何度も再生される等の事態を回避する。また、このＣＭ再生ログは、適当な方法、例えばユーザが別のコンテンツデータ取得のために図示しないコンテンツ配信サーバにアクセスした際に当該サーバ側に提供してもよい。これにより、ＣＭ提供側である放送局等は、どのようなユーザが、どのようなコンテンツデータを、どのような時間において、どのＣＭと共に再生したのかを知ることができ、これに基づいて、各コンテンツ提供企業へのコンテンツ使用料の分配や、ＣＭスポンサー企業へのＣＭ料金の請求の他、上記ＣＭチャネルの編集等に活用することができる。なお、図６では、先にＣＭデータＣＭｉを再生し、続いてチャプタデータＣｈｉを再生する手順を説明したが、これとは逆に、チャプタデータＣｈｉを先に再生し、続いてＣＭデータＣＭｉを再生する手順としてもよい。
【００２６】
図７〜図９は、放送局やサーバ等から提供されるＣＭチャネルの構成方式の例を示している。図７は、ＣＭチャネルとコンテンツデータが１対１で対応するように多数のチャネルを構成した例である。例えば、アクション映画であるコンテンツデータＣ１、恋愛映画であるコンテンツデータＣ２、子供向けアニメ映画Ｃ３・・・がある場合を考える。この場合、コンテンツデータＣ１に対応して設けられたＣＭチャネル１には、アクション映画の主な視聴者である若い男性をターゲットとしたＣＭを多く含める。同様に、ＣＭチャネル２には若い女性をターゲットとしたＣＭを多く含め、ＣＭチャネル３には子供をターゲットとしたＣＭを多く含める。この場合、再生用機器１０のＴＶチューナ１１３は、選択したコンテンツデータに対応するＣＭチャネルを受信するチューニングするよう、コンテンツデータ再生プログラムにより制御される。
【００２７】
図８は、単一のＣＭチャネルのみを放映する例である。この例では、単一のＣＭチャネルにおいて、１番〜ｎ番のｎ種類のＣＭが繰り返し放送されている。そして、再生しようとするコンテンツデータの種別に拘わらず、同一の時間帯においては同一のＣＭデータが多数の再生用機器１０において受信され、再生される。この場合であっても、時間帯により放映するＣＭデータを変更することにより、視聴者層の違いに応じたＣＭを受信させ、再生させることが可能である。
【００２８】
図９は、コンテンツデータと１対１に対応させた数のＣＭチャネルを設けるのではなく、コンテンツデータの種類数よりも少ない、例えばジャンル毎に分類された複数のＣＭチャネルが用意される場合を示している。例えばＣＭチャネル１は若い男性向けのＣＭ中心、ＣＭチャネル２は若い女性向け、ＣＭチャネル３は壮年向け・・・というように分類がされている。
【００２９】
そして、再生用機器１０において再生が選択されたコンテンツデータの属性（ジャンル等）、及びその視聴時間帯等により、１つのコンテンツデータＣの再生の間、ＣＭチャネルが順次切り替えられて、コンテンツデータＣと共に再生機器１０において再生される。例えば、ファミリー向けの、年齢を問わず視聴され得るコンテンツデータが、いわゆるゴールデンタイムである午後７時〜９時の間に選択された場合、各ＣＭチャネルｉは適宜切り替えられ、様々な種類のＣＭが視聴されるようにする。ただし、コンテンツデータの属性が同じファミリー向けのものであっても、視聴時間帯が深夜である場合には、若者向けのＣＭが多く流れるよう、ＣＭチャネルの切り替えが行われるようにするのが好適である。
【００３０】
図１０及び図１１は、第２の実施の形態の変形例を示している。システム構成は第２の実施の形態（図５）と同様でよい。ただし、この変形例では、ＣＭデータをＨＤＤ等に一時格納せず、アンテナから受信された受信データをそのままタイムラグなく生データとして再生する点で、受信したＣＭデータをＲＡＭ等に一時格納する形式である第２の実施の形態と異なっている。このように生データとしてＣＭデータの再生を行う場合、１５秒単位のＣＭがは頭切れ又は尻切れで放送されることを防ぐ必要がある。このためこの変形例では、図１０に示すように、同一内容のＣＭを、それぞれ数秒遅れで流すＣＭチャネル１−１、１−２、１−３、１−４・・・を放送局側から同時に放映する。ＴＶチューナ１０は、各ＣＭチャネル１−１、１−２、１−３、１−４・・・の放映スケジュールのデータに基づいて、再生開始指示（図１１のＳ５２）がされたタイミングと最もＣＭの開始タイミングが近いＣＭチャネルにチューニングを行う。これにより、ＣＭデータが頭切れ又は尻切れになることなく再生することが可能になる。
【００３１】
以上、発明の実施の形態を説明したが、本発明はこれに限定されるものではなく、発明の趣旨を逸脱しない範囲内において様々な変更、置換及び追加等が可能である。例えば、上記実施の形態では、コンテンツ鍵データＫｃｉのみによる一重鍵暗号化方式を採用した例を説明したが、これに限らず、ＭＱｂｉｃ（登録商標）において採用されている暗号化二重化方式を適用することもできる。図１２は係るＭＱｂｉｃにおいて採用されている暗号化二重鍵方式に対応したＳＤカード及びユーザ端末（再生用機器）の構成を示す模式図である。ここで、ＳＤカードＳＤｑは、データをセキュアに記憶したセキュア記憶媒体の一例であり、システム領域(System Area)１、秘匿領域(Hidden Area)２、保護領域(Protected Area)３、ユーザデータ領域(User Data Area)４及び暗復号部５を備えており、各領域１〜４にデータが記憶されている。
【００３２】
このようなＳＤカードＳＤｑは、具体的には、システム領域１には鍵管理情報ＭＫＢ(Media Key Block)及びメディア識別子ＩＤｍが記憶され、秘匿領域２にはメディア固有鍵Ｋｍｕが記憶され、保護領域３には暗号化ユーザ鍵Ｅｎｃ（Ｋｍｕ：Ｋｕ）が記憶され、ユーザデータ領域４には暗号化コンテンツ鍵Ｅｎｃ（Ｋｕ：Ｋｃ）が記憶されている。ここで、ユーザ鍵Ｋｕは、コンテンツ鍵Ｋｃに対する暗号化／復号鍵であり、複数個の暗号化コンテンツ鍵Ｅｎｃ（Ｋｕ：Ｋｃ１）、Ｅｎｃ（Ｋｕ：Ｋｃ２）、・・・に対しても、共通に使用され得る。また、ＳＤカードＳＤｑの添字ｑは、ＭＱｂｉｃ（登録商標）に対応する旨を表す。
【００３３】
ここで、システム領域１は、読取専用でＳＤカード外部からアクセス可能な領域である。秘匿領域２は、読取専用でＳＤカード自身が参照する領域であり、外部からのアクセスが一切不可となっている。保護領域３は、認証に成功した場合にＳＤカード外部から読出／書込可能な領域である。ユーザデータ領域４は、ＳＤカード外部から自由に読出／書込可能な領域である。暗復号部５は、保護領域３とＳＤカード外部との間で、認証、鍵交換及び暗号通信を行うものであり、暗号化／復号機能をもっている。
【００３４】
このようなＳＤカードＳＤｑに対し、再生用のユーザ端末１０は以下のように論理的に動作する。すなわち、ユーザ端末１０では、ＳＤカードＳＤｑのシステム領域１から読み出した鍵管理情報ＭＫＢを、予め設定されたデバイス鍵ＫｄによりＭＫＢ処理し（ＳＴ１）、メディア鍵Ｋｍを得る。次に、ユーザ端末１０ｑは、このメディア鍵Ｋｍと、ＳＤカードＳＤｑのシステム領域１から読み出したメディア識別子ＩＤｍとを共にハッシュ処理し（ＳＴ２）、メディア固有鍵Ｋｍｕを得る。
【００３５】
しかる後、ユーザ端末１０は、このメディア固有鍵Ｋｍｕに基づいて、ＳＤカードＳＤｑの暗復号部５との間で認証及び鍵交換（ＡＫＥ： Authentication Key Exchange）処理を実行し（ＳＴ３）、ＳＤカードＳＤｑとの間でセッション鍵Ｋｓを共有する。なお、ステップＳ３の認証及び鍵交換処理は、暗復号部５に参照される秘匿領域２内のメディア固有鍵Ｋｍｕと、ユーザ端末１０ａに生成されたメディア固有鍵Ｋｍｕとが一致するときに成功し、セッション鍵Ｋｓが共有される。
【００３６】
続いて、ユーザ端末１０は、セッション鍵Ｋｓを用いた暗号通信を介して保護領域３から暗号化ユーザ鍵Ｅｎｃ（Ｋｍｕ：Ｋｕ）を読み出すと（ＳＴ４）、この暗号化ユーザ鍵Ｅｎｃ（Ｋｍｕ：Ｋｕ）をメディア固有鍵Ｋｍｕにより復号処理し（ＳＴ５）、ユーザ鍵Ｋｕを得る。
【００３７】
最後に、ユーザ端末１０は、ＳＤカードＳＤｑのユーザデータ領域４から暗号化コンテンツ鍵Ｅｎｃ（Ｋｕ：Ｋｃ）を読出すと、この暗号化コンテンツ鍵Ｅｎｃ（Ｋｕ：Ｋｃ）をユーザ鍵Ｋｕにより復号処理し（Ｓ５ｑ）、コンテンツ鍵Ｋｃを得る。最後に、ユーザ端末１０ａは、メモリ１１ｑから暗号化コンテンツＥｎｃ（Ｋｃ：Ｃ）を読出すと、この暗号化コンテンツＥｎｃ（Ｋｃ：Ｃ）をコンテンツ鍵Ｋｃにより復号処理し（ＳＴ６）、得られたコンテンツＣを再生する。なお、上記の例では、暗号化コンテンツは、ユーザ端末１０内のメモリ１１ｑに記憶されるとしたが、外部の記憶媒体に記憶されていてもよい。このようなユーザ端末を再生機器とし、ＣＭデータの再生の完了を条件として、コンテンツ鍵データＫｃによるコンテンツデータＣの復号処理を許可するコンテンツデータ再生用プログラムをユーザ端末１０に格納することにより、本発明が適用可能である。
【００３８】
また、前記実施の形態では、ダウンロードされたＣＭの再生の完了を条件にコンテンツデータの再生を許可する形式としているが、これに代えて又は追加して、ダウンロードされたＣＭの再生時間を計測し、この再生時間に対応する時間間隔だけコンテンツデータの復号化及び再生を許可する形式としてもよい。そのような形式を実行したシステムのフローチャートを図１３に示す。上記の実施の形態と同様に、コンテンツ選択、ＣＭダウンロード、再生指示及び鍵ダウンロードが実行された後（Ｓ６１−６４）、ＣＭデータ再生が開始されると（Ｓ６５）、その再生時間の計測が開始される。この再生時間の計測は、コンテンツデータ再生プログラムの命令に従い、ＣＰＵ１０８のクロック信号等に基づいて行うことができる。そして、ＣＭデータの再生が、ユーザの再生停止動作その他の理由で終了した場合（Ｓ６８）、そのときまでのＣＭ再生時間に対応する時間間隔の分だけ、コンテンツデータＣ即ちチャプタデータが再生される。その後、対応時間間隔のコンテンツデータの再生が終了すると、再生用機器１０のモニタに継続再生を希望するか否かの質問が表示され、ユーザが継続再生希望を選択すると、Ｓ６５に戻ってＣＭ再生が再開される。
【図面の簡単な説明】
【００３９】
【図１】本発明の第１の実施の形態に係るコンテンツデータ再生システムの全体構成を示している。
【図２】図１に示す第１の実施の形態に係るコンテンツデータ再生システムの動作の一例を説明するフローチャートである。
【図３】図１に示すコンテンツデータ再生システムの動作を説明するデータ流れ図である。
【図４】図１に示すコンテンツデータ再生システムの動作の別の例を説明するフローチャートである。
【図５】本発明の第２の実施の形態に係るコンテンツデータ再生システムの全体構成を示している。
【図６】図５に示す第２の実施の形態に係るコンテンツデータ再生システムの動作の一例を説明するフローチャートである。
【図７】第２の実施の形態で提供されるＣＭチャネルの構成例を示す。
【図８】第２の実施の形態で提供されるＣＭチャネルの構成例を示す。
【図９】第２の実施の形態で提供されるＣＭチャネルの構成例を示す。
【図１０】第２の実施の形態の変形例を示している。
【図１１】第２の実施の形態の変形例を示している。
【図１２】二重暗号化鍵方式に本発明を適用した場合の例を説明している。
【図１３】上記実施の形態の変形例を示している。
【符号の説明】
【００４０】
１０・・・再生用機器、  ２０・・・サーバ、  ３０・・・ＣＭデータ格納部３０、  ４０・・・コンテンツ鍵データ格納部、  ５０・・・ネットワーク、  ７０・・・放送衛星、  ８０・・・アンテナ、  １００・・・記録媒体。
【図１】
2007116552.tif 000003
【図２】
2007116552.tif 000004
【図３】
2007116552.tif 000005
【図４】
2007116552.tif 000006
【図５】
2007116552.tif 000007
【図６】
2007116552.tif 000008
【図７】
2007116552.tif 000009
【図８】
2007116552.tif 000010
【図９】
2007116552.tif 000011
【図１０】
2007116552.tif 000012
【図１１】
2007116552.tif 000013
【図１２】
2007116552.tif 000014
【図１３】
2007116552.tif 000015